(57)【要約】【課題】  本発明はディスクロータに押圧されることによりディスクロータとの間に制動力を発生させるディスクブレーキ装置用ブレーキパッド及びその製造方法及びディスクブレーキ装置に関し、制動時におけるブレーキフィーリングの向上及び異音の発生の防止を課題とする。【解決手段】  裏金１７と、この裏金１７に配設されておりディスクロータ１２に押圧することにより制動力を発生させるブレーキパッド１５Ａとを有するディスクブレーキ装置用ブレーキパッドにおいて、ブレーキパッド１５Ａを母材１８と、この母材１８よりも硬度が高い矯正材１９とにより構成し、ディスクロータ１２の回転方向に対するブレーキパッド入口側の硬度とブレーキパッド出口側の硬度が異なるよう、母材１８と矯正材１９を配設する。【選択図】  図２
2006153237.tif 000002
【特許請求の範囲】
【請求項１】
ディスクブレーキ装置に取り付けられる裏金と、該裏金に配設されておりディスクロータに押圧することにより制動力を発生させるブレーキパッドとを有するディスクブレーキ装置用ブレーキパッドにおいて、
前記ブレーキパッドを母材と、該母材よりも硬度が高い矯正材とにより構成し、前記ディスクロータの回転方向に対する前記ブレーキパッドの入口側の硬度と前記ブレーキパッドの出口側の硬度が、異なるよう前記母材と前記矯正材を配設したことを特徴とするディスクブレーキ装置用ブレーキパッド。
【請求項２】
請求項１記載のディスクブレーキ装置用ブレーキパッドにおいて、
前記母材に対する前記矯正材の配設量が、前記ディスクロータの回転方向に対し漸次変化するよう構成したことを特徴とするディスクブレーキ装置用ブレーキパッド。
【請求項３】
請求項１記載のディスクブレーキ装置用ブレーキパッドにおいて、
前記母材の前記ディスクロータの回転方向に対する入口側に第１の矯正材配設部を形成すると共に、前記母材の前記ディスクロータの回転方向に対する出口側に第２の矯正材配設部を形成し、
前記第１の矯正材配設部に配設される矯正材の硬度と、前記第２の矯正材配設部に配設される矯正材の硬度を異ならせたことを特徴とするディスクブレーキ装置用ブレーキパッド。
【請求項４】
請求項１乃至３のいずれか１項に記載のディスクブレーキ装置用ブレーキパッドが、ディスクロータを挟んで配設されるディスクブレーキ装置において、
前記ディスクロータの内側に配設されるディスクブレーキ装置用ブレーキパッドは、前記ディスクロータの回転方向に対する前記ブレーキパッドの入口側の硬度が前記ブレーキパッドの出口側の硬度に対して高くなるよう構成され、
前記ディスクロータの外側に配設されるディスクブレーキ装置用ブレーキパッドは、前記ディスクロータの回転方向に対する前記ブレーキパッドの入口側の硬度が前記ブレーキパッドの出口側の硬度に対して低くなるよう構成されていることを特徴とするディスクブレーキ装置。
【請求項５】
型にブレーキパッドとなる母材を装填し、該母材を焼成することによりブレーキパッドを製造するディスクブレーキ装置用ブレーキパッドの製造方法において、
前記型を構成する下型に第１の母材を装填する工程と、
該第１の母材が装填された前記下型に、第１及び第２の装填部が形成された中型を装着し、前記第１の装填部に第１の矯正材を装填すると共に、前記第２の装填部に前記第１の矯正材と特性の異なる前記第２の矯正材を装填する工程と、
前記中型を取り外した後、前記第１の母材及び第１及び第２の矯正材を覆うように第２の母材を装填する工程と、
前記下型に前記型を構成する上型を装着し、前記第１及びの母材と前記第１及び第２の矯正材を焼成する工程とを有することを特徴とするディスクブレーキ装置用ブレーキパッドの製造方法。
【発明の詳細な説明】
【技術分野】
【０００１】
本発明はディスクブレーキ装置用ブレーキパッド及びその製造方法及びディスクブレーキ装置に係り、特にディスクロータに押圧されることによりディスクロータとの間に制動力を発生させるディスクブレーキ装置用ブレーキパッド及びその製造方法及びディスクブレーキ装置に関する。
【背景技術】
【０００２】
一般に、自動車用のブレーキ装置としてキャリパ浮動型のディスクブレーキ装置が知られている。このキャリパ浮動型のディスクブレーキ装置は、ディスクロータの片側だけにピストンを有した構成とされており、キャリパはマウンティングに浮動状態で支持されている。
【０００３】
図９は、この種のディスクブレーキ装置１の一例を示している。同図において、２はディスクロータであり車輪と一体的に回転するよう構成されている。また、３はキャリパであり、ディスクロータ２を跨ぐように配設されている。
【０００４】
キャリパ３の内部には、インナーパッド５ＩＮ及びアウターパッド５OUTが配設されており、ディスクロータ２を挟むように配置されている。この各パッド５ＩＮ，５OUTは裏金７に摩擦材となる母材８を配設した構成とされており、また母材８としては例えば特許文献１に示されるように耐フェード性を向上させるため複数の摩擦材を含む構成としたものもある。
【０００５】
また、キャリパ３にはピストン６が内設されており、インナーパッド５ＩＮはピストン６に取り付けた構成とされている。また、アウターパッド５OUTはキャリパ３に固定された構成とされている。更に、キャリパ３には図示しないスライドピン孔が形成されており、このスライドピン孔にはマウンティング（車両フレーム等に固定されている）に植設されたスライドピンが摺動可能に挿通されている。
【０００６】
従って、ブレーキ操作により液圧が導入されるとピストン６は移動し、このピストン６の移動に伴いインナーパッド５ＩＮはディスクロータ２に圧接される。また、上記のようにスライドピン孔とスライドピンとが摺動可能な構成であることにより、インナーパッド５ＩＮがディスクロータ２に圧接する反力によりキャリパ３は移動し、アウターパッド５OUTもディスクロータ２に圧接する。
【０００７】
ディスクブレーキ装置１は、上記の動作を行うことにより制動力を発生する構成とされていた。また、制動解除時は、シリンダの液圧が低下することによりピストン６は後退し、これによりインナーパッド５ＩＮ及びアウターパッド５OUTはディスクロータ２から離間し、よって制動が解除される構成とされていた。
【特許文献１】特開平８−１３５６９８号公報
【発明の開示】
【発明が解決しようとする課題】
【０００８】
ところで、上記した構成のディスクブレーキ装置１では、制動によって図９に矢印Ｍで示すモーメントがキャリパ３に作用し、これにより各パッド５ＩＮ，５OUTがディスクロータ２を押圧する押圧分布が不均一になる。具体的には、図１０に矢印Ｐ１で示すハッチングは、インナーパッド５ＩＮに発生する押圧力の分布を示している。同図に示すように、上記した制動時に発生するモーメントＭにより、ディスクロータ２の入口側近傍において最大の押圧力Ｆ０を有する押圧力分布となる。尚、図１０において、４は制動時に各パッド５ＩＮ，５OUTに発生するトルク力を受けるトルク受け部である。
【０００９】
ここで、この押圧力Ｆ０により、インナーパッド５ＩＮに発生するディスクロータ２を押圧するトルクは、最大押圧力Ｆ０の発生位置が最大となり、最大押圧力Ｆ０のトルクの発生方向への分力をｆ０とした場合、そのトルク値はｆ０×Ｌ０となる。前記したように、従来ではディスクロータ２の入口側近傍において最大の押圧力Ｆ０を有する押圧力分布となるため、トルク受け部４とトルクが作用する位置とは大きく離間（距離Ｌ０）し、よってディスクロータ２に作用するトルク値は大きくなる。
【００１０】
このため、インナーパッド５ＩＮの母材８に発生する摩耗量は、ディスクロータ２の入口側近傍が大きく、ディスクロータ２の出口側では小さくなる。また、アウターパッド５OUTの母材８に発生する摩耗量は、インナーパッド５ＩＮとは逆となり、ディスクロータ２の入口側近傍が小さく、ディスクロータ２の出口側では多くなる。
【００１１】
このため、インナーパッド５ＩＮの母材８では図９に矢印δＩＮで示す偏摩耗が発生し、アウターパッド５OUTの母材８では図９に矢印δOUTで示す偏摩耗が発生してしまう。よって、上記した偏摩耗が各パッド５ＩＮ，５OUTに発生した場合、制動時におけるブレーキフィーリングが低下し、また制動時に異音が発生するという問題点があった。
【００１２】
本発明は上記の点に鑑みてなされたものであり、制動時におけるブレーキフィーリングの向上及び異音の発生防止を図りうるディスクブレーキ装置用ブレーキパッド及びその製造方法及びディスクブレーキ装置を提供することを目的とする。
を目的とする。
【課題を解決するための手段】
【００１３】
上記の課題を解決するために本発明では、次に述べる各手段を講じたことを特徴とするものである。
【００１４】
請求項１記載の発明は、
ディスクブレーキ装置に取り付けられる裏金と、該裏金に配設されておりディスクロータに押圧することにより制動力を発生させるブレーキパッドとを有するディスクブレーキ装置用ブレーキパッドにおいて、
前記ブレーキパッドを母材と、該母材よりも硬度が高い矯正材とにより構成し、前記ディスクロータの回転方向に対する前記ブレーキパッドの入口側の硬度と前記ブレーキパッドの出口側の硬度が、異なるよう前記母材と前記矯正材を配設したことを特徴とするものである。
【００１５】
上記の発明によれば、ディスクロータの回転方向に対するブレーキパッドの入口側の硬度とブレーキパッドの出口側の硬度が異なるため、硬さの異なる母材と矯正材の配設の仕方によりブレーキパッドに発生する摩耗を調整することが可能となり、偏摩耗の発生を抑制することができる。
【００１６】
また、請求項２記載の発明は、
請求項１記載のディスクブレーキ装置用ブレーキパッドにおいて、
前記母材に対する前記矯正材の配設量が、前記ディスクロータの回転方向に対し漸次変化するよう構成したことを特徴とするものである。
【００１７】
上記の発明によれば、経時的に母材が摩耗した際、矯正材が徐々に露出する構成となるため、ディスクブレーキ装置用ブレーキパッドに経時的な特性の変化を持たせることが可能となる。
【００１８】
また、請求項３記載の発明は、
請求項１記載のディスクブレーキ装置用ブレーキパッドにおいて、
前記母材の前記ディスクロータの回転方向に対する入口側に第１の矯正材配設部を形成すると共に、前記母材の前記ディスクロータの回転方向に対する出口側に第２の矯正材配設部を形成し、
前記第１の矯正材配設部に配設される矯正材の硬度と、前記第２の矯正材配設部に配設される矯正材の硬度を異ならせたことを特徴とするものである。
【００１９】
上記の発明によれば、第１の矯正材配設部に配設される矯正材の硬度と、第２の矯正材配設部に配設される矯正材の硬度を異ならせるだけで、ディスクブレーキ装置用ブレーキパッドのディスクロータの回転方向に対する硬さを変化させることができるため、ディスクブレーキ装置用ブレーキパッドに対する硬さ変化を容易に持たせることができる。
【００２０】
また、請求項４記載の発明は、
請求項１乃至３のいずれか１項に記載のディスクブレーキ装置用ブレーキパッドが、ディスクロータを挟んで配設されるディスクブレーキ装置において、
前記ディスクロータの内側に配設されるディスクブレーキ装置用ブレーキパッドは、前記ディスクロータの回転方向に対する前記ブレーキパッドの入口側の硬度が前記ブレーキパッドの出口側の硬度に対して高くなるよう構成され、
前記ディスクロータの外側に配設されるディスクブレーキ装置用ブレーキパッドは、前記ディスクロータの回転方向に対する前記ブレーキパッドの入口側の硬度が前記ブレーキパッドの出口側の硬度に対して低くなるよう構成されていることを特徴とするものである。
【００２１】
上記の発明によれば、いわゆるインナーパッドの入口側の硬度を出口側の硬度に対して高くなるよう構成し、かつ、いわゆるアウターパッドの入口側の硬度を出口側の硬度に対して低くなるよう構成したことにより、制動時に各ディスクブレーキ装置用ブレーキパッドをディスクロータに押圧した場合、硬度の低い部分はこの押圧力により収縮するよう変形するため、ディスクブレーキ装置には回転モーメン力が発生する。
【００２２】
この回転モーメント力は、制動時にマウンティングがディスクロータの回転方向に撓むことにより発生する回転モーメント力の作用方向に対して反対方向に作用する。このため、この二つのモーメント力は互いに相殺され、よって制動時においてディスクブレーキ装置に作用するモーメント力を低減でき、よってディスクブレーキ装置用ブレーキパッドに偏摩耗が発生することを防止できる。
【００２３】
また、請求項５記載の発明は、
型にブレーキパッドとなる母材を装填し、該母材を焼成することによりブレーキパッドを製造するディスクブレーキ装置用ブレーキパッドの製造方法において、
前記型を構成する下型に第１の母材を装填する工程と、
該第１の母材が装填された前記下型に、第１及び第２の装填部が形成された中型を装着し、前記第１の装填部に第１の矯正材を装填すると共に、前記第２の装填部に前記第１の矯正材と特性の異なる前記第２の矯正材を装填する工程と、
前記中型を取り外した後、前記第１の母材及び第１及び第２の矯正材を覆うように第２の母材を装填する工程と、
前記下型に前記型を構成する上型を装着し、前記第１及びの母材と前記第１及び第２の矯正材を焼成する工程とを有することを特徴とするものである。
【００２４】
上記の発明によれば、下型に装填された第１の母材上に、第１及び第２の装填部が形成された中型を用いて特性の異なる第１及び第２の矯正材を装填し、これを覆うように第２の母材を装填し、その後にこれ焼成することによりディスクブレーキ装置用ブレーキパッドを製造するため、異なる特性を有する矯正材を母材に内設したディスクブレーキ装置用ブレーキパッドを容易に製造することができる。
【発明の効果】
【００２５】
上述の如く本発明によれば、ディスクロータの回転方向に対するブレーキパッドの入口側の硬度とブレーキパッドの出口側の硬度が異なる構成とすることができるため、硬さの異なる母材と矯正材の配設の仕方によりブレーキパッドに発生する摩耗を調整することが可能となり偏摩耗の発生を抑制することが可能となる。
【発明を実施するための最良の形態】
【００２６】
次に、本発明を実施するための最良の形態について図面と共に説明する。
【００２７】
図１は本発明の第１実施例であるディスクブレーキ装置１０を示す全体構成図であり、図２はブレーキパッド１５Ａの近傍を示す要部構成図である。各図において、１２はディスクロータであり車輪（図示せず）と一体的に回転するよう構成されている。また、１３はキャリパであり、ディスクロータ１２を跨ぐように配設されている。このキャリパ１３の内部には、ブレーキパッドとなるインナーパッド１５ＡIN及びアウターパッド１５ＡOUT（以下、両パッド１５ＡIN，１５ＡOUTを総称する場合にはブレーキパッド１５Ａという）がディスクロータ１２を挟むように配設されている。
【００２８】
また、キャリパ１３にはピストン１６が摺動可能な構成で内設されている。このピストン１６は、運転者がブレーキペダル（図示せず）を踏み込むことにより供給される油液により、キャリパ１３内で摺動する構成とされている。
【００２９】
このピストン１６にはインナーパッド１５ＡINが取り付けられており、よってインナーパッド１５ＡINはピストン１６の摺動に伴いキャリパ１３内で移動する構成とされている。また、アウターパッド１５ＡOUTはキャリパ１３に固定された構成とされている。
【００３０】
更に、キャリパ１３にはスライドピン３１が離間配設されている。また、車両（図示せず）にはマウンティング１１が固設されており、このマウンティング１１にはスライドピン３１が挿入されるスライドピン孔３２が形成されている。スライドピン３１は、スライドピン孔３２内でスライド動作可能な構成とされており、よってキャリパ１３はマウンティング１１に対して移動可能な状態で支持された構成となる。尚、図２に示される１４は、は制動時にブレーキパッド１５Ａに発生するトルク力を受けるトルク受け部である。
【００３１】
ここで、本実施例の要部となるブレーキパッド１５Ａの構成について説明する。ブレーキパッド１５Ａ（インナーパッド１５ＡIN，アウターパッド１５ＡOUT）は、裏金１７に母材１８を配設した構成とされており、更に本実施例ではこの母材１８内に矯正材１９を配設した構成としたことを特徴としている（図２に詳しい）。
【００３２】
この母材１８と矯正材１９は、異なる特性を有する材料が選定されている。具体的には、矯正材１９は母材１８に対し、硬度が低く、摩耗量が多く、かつ摩擦係数が高い材質が選定されている。従って、ブレーキパッド１５Ａの制動時のブレーキ特性は、母材１８の特性と矯正材１９の特性が融合された特性となる。
【００３３】
更に、本発明に係るブレーキパッド１５Ａは、ディスクロータ１２の回転方向に対するブレーキパッド入口側（図中、上部位置）の硬度とブレーキパッド出口側（図中、下部位置）の硬度が、異なるよう母材１８と矯正材１９を配設した構成としている。この構成とするために本実施例では、母材１８に対する矯正材１９の配設量が、ディスクロータ１２の回転方向に対し漸次変化するよう構成している。
【００３４】
具体的には、インナーパッド１５ＡINでは、ディスクロータ１２の回転方向に対するブレーキパッド入口側においては、母材１８に対する矯正材１９の配設量は少なく設定されており、これに対してディスクロータ１２の回転方向に対するブレーキパッド出口側においては、母材１８に対する矯正材１９の配設量は多く設定されている。このため、図２に示されるように、インナーパッド１５ＡINを平面視した場合、矯正材１９の形状は三角形形状となっている。
【００３５】
これに対してアウターパッド１５ＡOUTでは、ディスクロータ１２の回転方向に対するブレーキパッド入口側においては、母材１８に対する矯正材１９の配設量は多く設定されており、これに対してディスクロータ１２の回転方向に対するブレーキパッド出口側においては、母材１８に対する矯正材１９の配設量は少なく設定されている。このため、図２に示されるように、アウターパッド１５ＡOUTを平面視面視した場合、矯正材１９の形状は逆三角形形状となっている。よって、インナーパッド１５ＡINに配設された矯正材１９の形状と、アウターパッド１５ＡOUTに配設された矯正材１９の形状は、ディスクロータ１２を介して略対称な構成で配設されている。
【００３６】
このように、ディスクロータ１２の回転方向に対するブレーキパッド１５Ａの入口側の硬度と出口側の硬度が異なるため、母材１８と矯正材１９の配設の仕方によりブレーキパッド１５Ａに発生する摩耗を調整することが可能となり、これによりブレーキパッド１５Ａに偏摩耗が発生することを抑制することができる。以下、この理由について、図２乃至図４を参照して説明する。
【００３７】
図２は、ブレーキパッド１５Ａのディスクロータ１２と対向する位置に母材１８が存在している状態を示している。よって、制動時においては、矯正材１９に対し、硬度が高く、摩耗量が少なく、かつ摩擦係数が低い母材１８がディスクロータ１２と摺接することとなる。
【００３８】
ここで、ディスクロータ１２が回転していない状態でブレーキパッド１５Ａ（インナーパッド１５ＡIN，アウターパッド１５ＡOUT）がディスクロータ１２に押圧されたことを想定する。
【００３９】
前記したように本実施例では、インナーパッド１５ＡINのブレーキパッド出口側における矯正材１９の配設量は母材１８に対して多く、よってブレーキパッド出口側はブレーキパッド入口側に対し硬度が低く撓み易い。これに対し、アウターパッド１５ＡOUTのブレーキパッド入口側における矯正材１９の配設量は母材１８に対して多く、よってレーキパッド入口側はブレーキパッド入口側に対し硬度が低く撓み易い。
【００４０】
このため、各パッド１５ＡIN，１５ＡOUTをディスクロータ１２に押圧した場合、各矯正材１９は図２に矢印で示す方向に撓む（収縮する）ため、ディスクブレーキ装置１０には図中矢印Ｍ１で示すモーメントが発生する。先に説明したように、ディスクブレーキ装置１０は制動時にキャリパ１３にモーメントＭ0が発生する。このモーメントＭ0が作用する方向と、各パッド１５ＡIN，１５ＡOUTに矯正材１９を設けたことにより発生するモーメントＭ１は、相互に逆に方向となる。よって、このモーメントＭ0とモーメントＭ１は相殺され、よってディスクブレーキ装置１０に作用するモーメント力の低減を図ることができる。
【００４１】
従って、本実施例に係るディスクブレーキ装置１０では、ブレーキパッド１５Ａが共にディスクロータ１２と略平行な状態を維持することができる。このため、ブレーキパッド１５Ａに偏摩耗が発生することを抑制することができ、よってブレーキフィールの悪化やブレーキノイズの発生を防止できる。
【００４２】
ところで、母材１８は消耗材であり、制動時にディスクロータ１２に押し当てられることにより摩耗が発生する。但し、上記したように本実施例では、ディスクブレーキ装置１０（キャリパ１３）の姿勢がディスクロータ１２と略平行な状態を維持するため、ブレーキパッド１５Ａに対して摩耗はパッド面（ブレーキパッド１５Ａのディスクロータ１２と摺接する面）の全体に対して略均等に発生する。
【００４３】
図３は、母材１８の摩耗が進み矯正材１９が露出した状態、即ち制動時に矯正材１９がディスクロータ１２と摺接する状態を示している。前記のように矯正材１９は母材１８に対して摩擦係数が高いため、インナーパッド１５ＡINがディスクロータ１２を押圧する押圧分布は、矯正材１９が露出してディスクロータ１２と摺接している部分が最も大きい最大押圧力Ｆ１となる。この最大押圧力Ｆ１によりインナーパッド１５ＩＮに発生するディスクロータ１２を押圧するトルクを求めると、最大押圧力Ｆ１のトルクの発生方向への分力をｆ１とした場合、そのトルク値はｆ１×Ｌ１となる。
【００４４】
前記したように本実施例における押圧力分布は、矯正材１９が露出した位置で最大押圧力Ｆ１を採る分布となる。また、矯正材１９の配設量はインナーパッド１５ＡINではブレーキパッド出口側が多く配設され、アウターパッド１５ＡOUTではブレーキパッド入口側が多く配設されているため、最初に矯正材１９が露出するのはインナーパッド１５ＡINではブレーキパッド出口側となり、アウターパッド１５ＡOUTではブレーキパッド入口側となる。このため、トルク受け部１４とトルクの作用位置との離間距離（距離Ｌ１）は、従来の距離Ｌ0（図１０参照）に比べて小さくなり（Ｌ１＜Ｌ0）、よってディスクロータ１２に作用するトルク値も従来に比べて小さくなる。
【００４５】
このように本実施例では、経時的に母材１８が摩耗しても、矯正材１９が所定位置で露出することにより、ディスクロータ１２に作用するトルク値を従来に比べて小さくすることができる。よって、経時的に母材１８が摩耗しても、制動時においてブレーキフィールの悪化やブレーキノイズが発生することを防止できる。
【００４６】
図４は、更に母材１８の摩耗が進行し、矯正材１９が完全に露出した状態を示している。しかしながら、矯正材１９は摩耗量が多く、また母材１８内において矯正材１９は上記したような配設がされているため、比較的短期間で矯正材１９よりも裏金１７側の矯正材１９が露出してディスクロータ１２と摺接する。この状態は、図３に示した状態と等価の状態であるため、よって矯正材１９が完全に露出した後も図３を用いた説明したと同様の理由でブレーキフィールの悪化やブレーキノイズが発生することを防止できる。
【００４７】
続いて、図５及び図６を参照し、本発明の第２実施例に係るブレーキパッド１５Ｂついて説明する。尚、図５はブレーキパッド１５Ｂの分解斜視図であり、図６はブレーキパッド１５Ｂを用いたディスクブレーキ装置１０の要部平面図である。
【００４８】
前記した第１実施例に係るブレーキパッド１５Ａでは、矯正材１９としては同一の材料の摩擦材を用い、その母材１８に対する配設量を変化させることによりディスクロータ１２の回転方向に対する入口側の硬度と出口側の硬度を異ならせる構成とした。これに対し、本実施例に係るブレーキパッド１５Ｂでは、母材１８内に互いに特性（本実施例では、異なる硬度）の異なる複数種の矯正材２０Ａ，２０Ｂを配設したことを特徴とするものである。
【００４９】
即ち、本実施例に係る母材１８は、図５に示すように複数（本実施例では２本）の収納部２１Ａ，２１Ｂが形成されている。そして、この収納部２１Ａ，２１Ｂには、異なる特性（硬度）を有した矯正材２０Ａ，２０Ｂが配設される。本実施例では、収納部２１Ａ，２１Ｂは母材１８に穿設された孔であり、矯正材２０Ａ，２０Ｂは収納部２１Ａ，２１Ｂに嵌入しうる棒状体とされている。よって、母材１８に対して収納部２１Ａ，２１Ｂを形成する処理、及び矯正材２０Ａ，２０Ｂを収納部２１Ａ，２１Ｂに配設する処理を容易に行うことができる。
【００５０】
図６は、図５に示したブレーキパッド１５Ｂをディスクブレーキ装置１０に組み込んだ構成の一例を示している。インナーパッド１５ＢINでは、ディスクロータ１２の回転方向に対するブレーキパッド入口側に形成された第１の収納部２１Ａに硬度高い（硬い）第１の矯正材２０Ａが配設されており、これに対してディスクロータ１２の回転方向に対するブレーキパッド出口側に形成された第２の収納部２１Ｂに第１の矯正材２０Ａに対して硬度の低い（軟らかい）第２の矯正材２０Ｂが配設されている。
【００５１】
これに対してアウターパッド１５ＢOUTでは、ディスクロータ１２の回転方向に対するブレーキパッド入口側に形成された第１の収納部２１Ｂに硬度低い第２の矯正材２０Ｂが配設されており、これに対してディスクロータ１２の回転方向に対するブレーキパッド出口側に形成された第１の収納部２１Ａに硬度の高い第１の矯正材２０Ａが配設されている。
【００５２】
上記構成とすることによっても、第１実施例と同様に、母材１８に対する矯正材２０Ａ，２０Ｂの配設の仕方によりブレーキパッド１５Ｂに発生する摩耗を調整することが可能となり、よって第１実施例で説明したと同様の理由により、ブレーキパッド１５Ｂに偏摩耗が発生したり、また制動時に異音が発生したりすることを防止することができる。
【００５３】
続いて、図７及び図８を参照し、本発明の第３実施例に係るブレーキパッド１５Ｃ及びその製造方法について説明する。尚、図７はブレーキパッド１５Ｃの斜視図であり、図８はブレーキパッド１５Ｃの製造方法を説明するための工程図である。
【００５４】
本実施例に係るブレーキパッド１５Ｃも、前記した第２実施例に係るブレーキパッド１５Ｂと同様に、母材（本実施例では第１の母材１８Ａと第２の母材１８Ｂとよりなる）内に互いに特性（本実施例では、異なる硬度）の異なる複数種の矯正材２２Ａ，２２Ｂを配設したことを特徴とするものである。また、この矯正材２２Ａ，２２Ｂは、第１の母材１８Ａと第２の母材１８Ｂとの間に挟持された構成とされている。
【００５５】
図示は省略するが、本実施例に係るブレーキパッド１５Ｃも、図６に示した第２実施例と同様の態様でディスクブレーキ装置１０に装着される。この際、インナーパッド１５ＣINでは、ディスクロータ１２の回転方向に対するブレーキパッド入口側に硬度高い（硬い）第１の矯正材２２Ａを配し、これに対してブレーキパッド出口側には第１の矯正材２２Ａに対して硬度の低い（軟らかい）第２の矯正材２２Ｂを配設する。また、アウターパッド１５ＣOUTでは、ディスクロータ１２の回転方向に対するブレーキパッド入口側に硬度低い第２の矯正材２２Ｂを配設し、ブレーキパッド出口側には硬度の高い第１の矯正材２２Ａが配設されるよう構成する。
【００５６】
これにより、本実施例に係るブレーキパッド１５Ｃを用いた場合にも、第１及び第２実施例と同様に、母材１８Ａ，１８Ｂに対する矯正材２２Ａ，２２Ｂの配設の仕方によりブレーキパッド１５Ｃに発生する摩耗を調整することが可能となり、よって第１実施例で説明したと同様の理由により、ブレーキパッド１５Ｃに偏摩耗が発生したり、また制動時に異音が発生したりすることを防止することができる。
【００５７】
次に、上記構成とされたブレーキパッド１５Ｃの製造方法について説明する。ブレーキパッド１５Ｃを製造するには、図８（Ａ）に示すように、母材１８Ａ，１８Ｂの形状に対応したキャビティ２７が形成された下型２６（基台２５上に載置されている）を用意する。この下型２６のキャビティ２７内には、先ず第１の母材１８Ａが装填される。この第１の母材１８Ａは、焼成前の状態のものである。
【００５８】
第１の母材１８Ａが装填されると、続いて図８（Ｂ）に示すように、下型２６に中型２８を装着する。これにより、キャビティ２７内に装填された第１の母材１８Ａは、中型２８の底面に押圧されることにより、上面が平面となるよう整形される。この中型２８は、第１及び第２の装填部２９Ａ，２９Ｂが形成されており、第１の装填部２９Ａは第１の矯正材２２Ａの形成位置に、また第２の装填部２９Ｂは第２の矯正材２２Ｂの形成位置に対応するよう構成されている。
【００５９】
中型２８が下型２６に装着されると、第１の装填部２９Ａに焼成前の第１の矯正材２２Ａが装填され、第２の装填部２９Ｂには焼成前の第２の矯正材２２Ｂが装填される。この際、第１の装填部２９Ａは、第２の装填部２９Ｂに対して特性の異なる（硬度の高い）材質が選定されている。
【００６０】
このように第１及び第２の装填部２９Ａ，２９Ｂに第１及び第２の矯正材２２Ａ，２２Ｂが装填されると、中型２８は下型２６から取り外される。これにより、第１の母材１８Ａの上部には、第１の矯正材２２Ａ及び第２の矯正材２２Ｂが配設された状態となる。尚、第１及び第２の矯正材２２Ａ，２２Ｂの中型２８に対する離型製性を高めるため、第１及び第２の矯正材２２Ａ，２２Ｂを中型２８内に装填した後、仮キュアを行うこととしてもよい。
【００６１】
上記のように中型２８が下型２６から取り外されると、続いて図８（Ｃ）に示すように、第１の母材１８Ａ及び第１及び第２の矯正材２２Ａ，２２Ｂを覆うように第２の母材１８Ｂを装填する処理を行う。この第２の母材１８Ｂは、第１の母材１８Ａと同一材料とされている。
【００６２】
上記のように第１の母材１８Ａが装填されると、図８（Ｄ）に示すように、上型３０によりプレスすることにより第２の母材１８Ｂを形成し、続いてこれを焼成処理する。これにより、第１及び第２の矯正材２２Ａ，２２Ｂは第１の母材１８Ａと第２の母材１８Ｂとの間に挟持された状態で焼結される。このようにして第１及び第２の矯正材２２Ａ，２２Ｂと第１及び第２の母材１８Ａ，１８Ｂが焼結して一体化すると、これは下型２６，上型３０，及び基台２５から取り外され、裏金１７に固着される。これにより、図７に示すブレーキパッド１５Ｃが製造される。
【００６３】
上記の製造方法によれば、下型２６に装填された第１の母材１８Ａ上に、中型２８を用いて第１及び第２の矯正材２２Ａ，２２Ｂを装填し、続いてこれを覆うように第２の母材１８Ｂを装填して焼結することによりブレーキパッド１５Ｃを製造するため、異なる特性を有する第１及び第２の矯正材２２Ａ，２２Ｂを母材１８Ａ，１８Ｂに内設したブレーキパッド１５Ｃを容易に製造することができる。
【図面の簡単な説明】
【００６４】
【図１】図１は、本発明の第１実施例であるディスクブレーキ装置の部分断面図である。
【図２】図２は、本発明の第１実施例であるブレーキパッドを示す要部構成図であり、矯正材が露出していな状態を示す図である。
【図３】図３は、本発明の第１実施例であるブレーキパッドを示す要部構成図であり、矯正材が一部露出した状態を示す図である。
【図４】図４は、本発明の第１実施例であるブレーキパッドを示す要部構成図であり、矯正材が前面に露出した状態を示す図である。
【図５】図５は、本発明の第２実施例であるブレーキパッドの分解斜視図である。
【図６】図６は、本発明の第２実施例であるブレーキパッドを示す要部構成図である。
【図７】図７は、本発明の第３実施例であるブレーキパッドを示す斜視図である。
【図８】図８は、本発明の第３実施例であるブレーキパッドの製造方法を説明するための図である。
【図９】図９は、従来の一例であるディスクブレーキ装置の要部構成図である。
【図１０】図１０は、従来の一例であるディスクブレーキ装置の問題点を説明するための図である。
【符号の説明】
【００６５】
１０  ディスクブレーキ
１２  ディスクロータ
１４  トルク受け部
１５Ａ〜１５Ｃ  ブレーキパッド
１６  ピストン
１７  裏金
１８  母材
１８Ａ  第１の母材
１８Ｂ  第２の母材
１９  矯正材
２０Ａ，２２Ａ  第１の矯正材
２０Ｂ，２２Ｂ  第２の矯正材
２１Ａ  第１の収納部
２１Ｂ  第２の収納部
【図１】
2006153237.tif 000003
【図２】
2006153237.tif 000004
【図３】
2006153237.tif 000005
【図４】
2006153237.tif 000006
【図５】
2006153237.tif 000007
【図６】
2006153237.tif 000008
【図７】
2006153237.tif 000009
【図８】
2006153237.tif 000010
【図９】
2006153237.tif 000011
【図１０】
2006153237.tif 000012